(57)【要約】      （修正有）【課題】ネジを複数用いなくてもブラケットの回り止めが可能で、かつ容易にブラケットを組み付けることができるテーブル等の脚構造を提供すること。【解決手段】天板支持脚４ａは、周面の一部が上下方向に開口する管状の脚柱１４と、開口の左右両端縁から内方に向けて延設される取付け面１４ａ、１４ｂと、この取付け面１４ａ、１４ｂの内端縁に突設した突条リブ１５ａ、１５ｂとを有し、その突条リブ１５ａ、１５ｂに挿入側端縁を当接させた状態で取付け面１４ａ、１４ｂにブラケット６を螺着するように構成することで、ねじ孔２５ａの一方向の位置決めができ組立が容易であり、ブラケット６の螺着後はその挿入側端が突条リブ１５ａに衝接するのでブラケット６の回り止めを図ることができる。【選択図】  図５
2004159691.tif 000002
【特許請求の範囲】
【請求項１】
テーブル等の天板支持脚にブラケットを取付けるための脚構造であって、前記脚は、周面の一部が上下方向に開口する管状の脚柱と、該開口の左右両端縁から内方に向けて延設される取付け面と、該取付け面の内端縁に突設した突条リブとを有し、前記ブラケットは、その挿入側端縁を前記突条リブに当接させた状態で前記取付け面に螺着したことを特徴とするテーブル等の脚構造。
【請求項２】
前記開口は着脱自在のカバー体により閉塞可能であり、該カバー体の左右端と開口の左右両端縁間には前記ブラケットの挿入空隙が形成されている請求項１に記載のテーブル等の脚構造。
【請求項３】
前記左右の取付け面にそれぞれ一対の突条リブを形成するとともに、該突条リブ間に前記開口に連通する上下方向に延びる配線収納溝を形成した請求項１または２に記載のテーブル等の脚構造。
【請求項４】
前記配線収納溝にカバー体を着脱自在に係止するための係止部が形成されている請求項３に記載のテーブル等の脚構造。
【請求項５】
前記ブラケットの挿入側端縁はブラケットの取付け角度を設定するための傾斜角でカットされている請求項１ないし４の何れかに記載のテーブル等の脚構造。
【発明の詳細な説明】
【０００１】
【発明の属する技術分野】
本発明は、テーブル等の天板支持脚にブラケットを取付けるための脚構造に関する。
【０００２】
【従来の技術】
テーブル等の天板支持脚が単に天板を支えるためだけでなく、支持脚に棚等を設けたり、支持脚間に幕板を横設したりするための取付け金具（以下「ブラケット」という）を支持脚に取り付けることが従来より望まれており、そのために、ブラケットを支持脚外周面に接着剤やネジを用いて取り付けるようにしていたが管状の脚に対しては接着強度が弱く不向きであった。
【０００３】
そのために、図６で示すように、支柱０１にスリット０２を形成し、ブラケット０３側にこのスリット０２に嵌挿可能な突条０４を形成したものも知られているが、スリット０２や特殊な形状の突条０４を製作しなければならず、コスト高になるだけでなく、ブラケットがスリット内で僅かではあるが移動するため、堅固に固定するには適さなかった。
【０００４】
このような状況のもとにおいて、近年では配線コード類も挿入可能な、ブラケットを強固に取り付けることができる管状の天板支持脚が開発されている（特許文献１，２参照）。
【０００５】
図７は上記特許文献に示されている天板支持脚の概略断面分解図であり、図７において０５は天板支持脚であり、この天板支持脚０５は周面の一部が上下方向に開口０６を有する管状の脚柱０７には、幕板０８に螺着されているブラケット０８ａを取り付けるための取付け面０９が形成されている。このブラケット取付け面０９は開口０６の左右両端縁から内方に向けて延設される上下方向に延びる平坦面で形成され、所定位置に取付けのためのねじ孔０１０が設けられている。
【０００６】
また、開口０６は取付け面の内縁端に突設したリブ０１０に係止可能な係止爪０１２ａを有するカバー体０１２により閉塞できるので、収納空間０１３に収められている配線コード類を体裁よく隠せる。
【０００７】
【特許文献１】
特開２００１−１２８７４７号公報（第３，４頁、図５）
【特許文献２】
特開２００１−１２８７５１号公報（第３，４頁、図５）
【０００８】
【発明が解決しようとする課題】
しかしながら、上記特許文献１，２に記載のものは、ブラケット０８ａを取付け面０９に取り付ける際に、ブラケット０８ａを一個のネジで留めるだけでは回り止めを阻止することはできず、回り止めを阻止するためにはねじ止め箇所が最低２箇所必要であった。
【０００９】
本発明は、このような状況に鑑みてなされたもので、ネジを複数用いなくてもブラケットの回り止めが可能で、かつ容易にブラケットを組み付けることができるテーブル等の脚構造を提供することを目的とするものである。
【００１０】
【課題を解決するための手段】
上記課題を解決するために、本発明のテーブル等の脚構造は、テーブル等の天板支持脚にブラケットを取付けるための脚構造であって、前記脚は、周面の一部が上下方向に開口する管状の脚柱と、該開口の左右両端縁から内方に向けて延設される取付け面と、該取付け面の内端縁に突設した突条リブとを有し、前記ブラケットは、その挿入側端縁を前記突条リブに当接させた状態で前記取付け面に螺着したことを特徴としている。
この特徴によれば、ブラケットの挿入側端を突条リブに当接することで、ねじ孔の一方向の位置決めが出来るので組立が容易であり、ブラケットの螺着後はブラケットが回動しようとしても、その挿入側端が突条リブに衝接するのでブラケットの回り止めが図れる。
【００１１】
本発明のテーブル等の脚構造において、前記開口は着脱自在のカバー体により閉塞可能であり、該カバー体の左右端と開口の左右両端縁間には前記ブラケットの挿入空隙が形成されていることが好ましい。
このようにすれば、ブラケットの挿入空隙を残して開口がカバー体により着脱自在に閉塞できるので、ブラケットの取付け状態を体裁よく隠せると共に、ブラケットの取付位置の変更時でも、カバー体を取り外すだけで容易に作業できる。
【００１２】
本発明のテーブル等の脚構造において、前記左右の取付け面にそれぞれ一対の突条リブを形成するとともに、該突条リブ間に前記開口に連通する上下方向に延びる配線収納溝を形成したことが好ましい。
このようにすれば、溝内に配線コード類を収納して、天板上で使用する電気器具類に配線接続することができる。
【００１３】
本発明のテーブル等の脚構造において、前記配線収納溝にカバー体を着脱自在に係止するための係止部が形成されていることが好ましい。
このようにすれば、カバー体をブラケットに干渉されずに取り付けることができる。
【００１４】
本発明のテーブル等の脚構造において、前記ブラケットの挿入側端縁はブラケットの取付け角度を設定するための傾斜角でカットされていることが好ましい。このようにすれば、傾斜角の大きさによりブラケットを任意の向きに取り付けることができる。
【００１５】
【発明の実施の形態】
以下、本発明の実施形態を図面に基づいて説明する。図１は本発明の一実施形態に係るテーブル等の脚構造で構成される一対の天板支持脚と、天板支持脚間に取付けられる幕板との関係を示す分解斜視図であり、図２は上記支持脚の変形例であって、天板上方に延長した一対の支持脚間に全長に亘って幕板を取付けた状態を示す斜視図である。
【００１６】
図１において、符号１はテーブルであって、このテーブル１は、天板２と、この天板２を支持する４本の天板支持脚４ａ、４ｂ（他の２本は不図示）とを備え、天板２の一端側に配置された一対の天板支持脚４ａ、４ｂ（以下支持脚と称する）は、天板２の横幅より外側に隣接して立脚しており、天板２は支持脚４ａ、４ｂ上端に内側に向けて突設したブラケット５の上面に止着支持されている。
【００１７】
一対の支持脚４ａ、４ｂの対向する内側面上下には、後述する幕板８取付け用のブラケット６がそれぞれ取付けられており、これら４つのブラケット６にビスを介して幕板８が止着されている。
【００１８】
この幕板８は、天板２一端側外周の円弧に沿って平面視円弧状に湾曲した断面形状であって、一対の支持脚４ａ、４ｂ下端から天板２の上面までを覆う高さで形成されている。
【００１９】
一対の支持脚４ａ、４ｂ間に取付けられた湾曲状の幕板８の上端には、図２に示すように天板２の一端側外周に沿った所定の開口部Ｇが形成されており、この開口部Ｇを配線コード等の通過空間として使用することができるようになっている。
【００２０】
また、図２に示す一対の長尺の支持脚１０ａ、１０ｂは、天板２の上方に所定高さまで延長するように形成され、両支持脚１０ａ、１０ｂの内側には、同じ高さまで延長した湾曲状の幕板１２が図示しない幕板取付け用ブラケットを介して止着されている。
【００２１】
そして、天板２上方の湾曲状幕板１２の内側面ないし一対の支持脚１０ａ、１０ｂ間には、小物収納具や棚板等として構成される架台１３が装架されており、これにより、利用価値の少ないテーブル１端部の空間を利用形態が豊富なテーブル１として提供することができる。
【００２２】
次に、脚構造に付き図３及び図４を参照して詳述する。図３は支持脚と該支持脚に形成された開口を閉塞するカバー体ないし支持脚端部に取付けられるエンドカバーの分解斜視図であり、図４はブラケットを介して取付け面に幕板を取付けた支持脚の開口取付け面にカバー体を取付ける状態を示す部分断面図である。
【００２３】
図３及び図４には一方の支持脚４ａが示されており、この支持脚４ａは、楕円形状の断面を有し扁平な片側側面の一部を長軸側に沿って削除し、その両端縁から内方に向けて延設する一対の取付け面１４ａ、１４ｂを広角度に開口するように形成した管状の脚柱１４と、これら取付け面１４ａ、１４ｂの中央に凹設され上下方向に連なる円弧状の配線収納溝Ｈと、この配線収納溝Ｈの内端縁にそれぞれ突設した一対の突条リブ１５ａ、１５ｂとから構成されている。
【００２４】
また、配線収納溝Ｈの開口内端縁には、一対の突条リブ１５ａ、１５ｂの対向する内側に上下方向に延びる凹状の係止部１６ａ、１６ｂが形成され、これら係止部１６ａ、１６ｂには後述するカバー体１８が係止されるようになっている。
【００２５】
カバー体１８は、脚柱１４に形成される一対の取付け面１４ａ、１４ｂの開口を閉塞するものであって、横幅が取付け面１４ａ、１４ｂ両端縁間の寸法より若干狭い寸法で形成されており、脚柱１４の外周形状に連続する楕円の一部となる円弧状に形成され、脚柱１４全長と略同一長さに形成されている。
【００２６】
更にカバー体１８の湾曲内面には、先端に外方を向く係止部となる係止突起２０ａ、２０ｂを形成した一対のリブ２０が長手方向に沿って突出し、対向する凹状の係止部１６ａ、１６ｂに弾力的に係合するよう形成されている。
【００２７】
また脚柱１４の下端には、エンドキャップ２２が一対のネジＢ２を介して取付けられるようになっており、エンドキャップ２２の中央には、高さ調整用の調整ネジＢ１が挿通保持されるようになっている。
【００２８】
一方、脚柱１４の取付け面１４ａ、１４ｂには、幕板８を取付ける為のブラケット６（後述する）を取着するねじ穴Ｔが上下に向けて所定間隔で形成されている。
【００２９】
次に、ブラケットに付き図５（ａ）〜（ｃ）を参照して説明する。図５は各種ブラケットの適用例を示し、（ａ）は脚柱から水平に突出するように取付けられるブラケットを示す部分斜視図、（ｂ）は脚柱から下方斜め方向に突出するように取付けられるブラケットを示す部分斜視図、（ｃ）は脚柱から上下斜め方向に突出するように取付けられるブラケットを示す部分斜視図である。
【００３０】
図５（ａ）に示すブラケット６は、所定幅を有する帯板状に形成されてその一端には両側面と直交する方向に切断した挿入側端となる突当て面６ａが形成されると共に、他端側には幕板８を取付ける取付面が設けられており、突当て面６ａ側には、取付け面１４ａに形成されたねじ穴Ｔの突条リブ１５ａからの距離と突当て面６ａからの距離が一致する位置に取付け孔２５ａが形成されている。
【００３１】
従って、突当て面６ａを突条リブ１５ａに当接するだけで、取付け孔２５ａの突条リブ１５ａからの位置決めが容易に行え、ブラケット６を上下方向に移動させることでねじ穴Ｔと取付け孔２５ａとの位置あわせができ、ビス２６により取付けたブラケット６は、脚柱１４に対し直交する方向に突出する。
【００３２】
また、図５（ｂ）に示すブラケット２８は、一端には両側面に対し斜めに横切る傾斜角で切断した突当て面２８ａが形成されており、斜めの突当て面２８ａを突条リブ１５ａに当接した状態で取付けられたブラケット６は、脚柱１４に対し斜め上方に向けて突出するよう設定される。
【００３３】
このように傾斜角の突当て面２８を形成しておくと、ブラケット２８を裏返しにした状態で斜めの突当て面２８を突条リブ１５ａに当接すれば、斜め下向に向けて取付面が突出するよう設定される。また、傾斜角の大きさによりブラケット２８を任意の向きに取り付けることができる。
【００３４】
このように構成することで、例えば幕板８の上端または下端を脚柱１４の上下端に取付ける際に、ねじ穴Ｔを脚柱１４上下端の近接位置に設けることが困難な場合でも、斜め方向に取付面が突出することで幕板８の上下端を取付けることができる。
【００３５】
更に、図５（ｃ）に示すブラケット３０は、一端には突当て面２９が形成されており、この突当て面２９側には、図５（ａ）に示すブラケット６と同様に、取付け面１４ａに形成されたねじ穴Ｔの突条リブ１５ａからの距離と突当て面６ａからの距離が一致する位置に取付け孔２５ａが形成されている。
【００３６】
上記のように形成されたブラケット３０によれば、上下に分割された幕板８の接合端部を１つのブラケット３０の取付面３０ａ、３０ｂに挿通孔２７ａ、２７ｂを挿通した取付けネジＳ（図４参照）を介して取付けることができる。
【００３７】
また、ブラケット６を一対の取付け面１４ａ、１４ｂに取付けるに際し、ブラケット６の突当て面６ａを突条リブ１５ａまたは１５ｂに当接することで、ねじ孔２５ｂの一方向の位置決めが出来るので組立が容易であり、ブラケットの螺着後はブラケット６が回動しようとしてもその挿入側端が突条リブ１５ａまたは１５ｂに衝接するのでブラケット６の回り止めが図れる。
【００３８】
ブラケット６を螺着した後に広角度に開口した取付け面１４ａ、１４ｂをカバー体１８で閉塞する際は、図４に示すように、湾曲内面に形成される一対のリブ２０先端の係止突起２０ａ、２０ｂを脚柱１４の対向する凹状の係止部１６ａ、１６ｂに弾力的に係合させることで、開口の左右両端縁間が閉塞される。
【００３９】
カバー体１８は、横幅が取付け面１４ａ、１４ｂ両端縁間の寸法より若干狭い寸法で形成されているので、カバー体１８を係止部１６ａ、１６ｂを介して取付けた際に、その両側端縁と取付け面１４ａ、１４ｂは、カバー体１８の左右両端縁に対しブラケット６の挿入空隙を残して開口がカバー体１８により着脱自在に閉塞できるので、ブラケット６の取付け状態を体裁よく隠せると共に、ブラケット６の取付位置の変更時でも、カバー体１８を取り外すだけで容易に作業ができる。
【００４０】
また、開口内端縁にそれぞれ突設した一対の突条リブ１５ａ、１５ｂ間に上下方向に配線収納溝Ｈを形成し、この配線収納溝Ｈとカバー体１８の一対のリブ２０間に形成される空隙内に配線コード類を収納して、天板２上で使用する電気器具類に配線接続することができる。
【００４１】
配線収納溝Ｈには、カバー体１８を着脱自在に係止するための係止突起２０ａ、２０ｂが形成されているので、カバー体１８をブラケット６に干渉されずに取り付けることができる。
【００４２】
本発明の実施形態として、配線収納溝Ｈの左右に一対の突条リブ１５ａ、１５ｂ間を設けたものを例示して説明したが、配線収納溝Ｈを形成せず、ブラケットを回り止めする突条リブを内方に１本設けるようにしたものであってもよい。
【００４３】
【発明の効果】
本発明は以下の効果を奏する。
【００４４】
（ａ）請求項１項の発明によれば、ブラケットの挿入側端を突条リブに当接することで、ねじ孔の一方向の位置決めが出来るので組立が容易であり、ブラケットの螺着後はブラケットが回動しようとしても、その挿入側端が突条リブに衝接するのでブラケットの回り止めが図れる。
【００４５】
（ｂ）請求項２項の発明によれば、ブラケットの挿入空隙を残して開口がカバー体により着脱自在に閉塞できるので、ブラケットの取付け状態を体裁よく隠せると共に、ブラケットの取付位置の変更時でも、カバー体を取り外すだけで容易に作業できる。
【００４６】
（ｃ）請求項３項の発明によれば、溝内に配線コード類を収納して、天板上で使用する電気器具類に配線接続することができる。
【００４７】
（ｄ）請求項４項の発明によれば、カバー体をブラケットに干渉されずに取り付けることができる。
【００４８】
（ｅ）請求項５項の発明によれば、傾斜角の大きさによりブラケットを任意の向きに取り付けることができる。
【図面の簡単な説明】
【図１】本発明の一実施形態に係るテーブル等の脚構造で構成される一対の天板支持脚と、天板支持脚間に取付けられる幕板との関係を示す分解斜視図である。
【図２】上記支持脚の変形例であって、天板上方に延長した一対の支持脚間に全長に亘って幕板を取付けた状態を示す斜視図である。
【図３】支持脚と該支持脚に形成された開口を閉塞するカバー体ないし支持脚端部に取付けられるエンドカバーの分解斜視図である。
【図４】ブラケットを介して取付け面に幕板を取付けた支持脚の開口取付け面にカバー体を取付ける状態を示す部分断面図である。
【図５】各種ブラケットの適用例を示し、（ａ）は脚柱から水平に突出するように取付けられるブラケットを示す部分斜視図、（ｂ）は脚柱から下方斜め方向に突出するように取付けられるブラケットを示す部分斜視図、（ｃ）は脚柱から上下斜め方向に突出するように取付けられるブラケットを示す部分斜視図である。
【図６】ブラケットを取付けるためのスリットを形成した従来の脚構造を示す分解斜視図である。
【図７】従来の支持脚と支持脚に取付けられるブラケットとの関係を概略断面で示す分解組立図である。
【符号の説明】
１                    テーブル
２                    天板
４ａ、４ｂ            天板支持脚
５                    ブラケット
６                    ブラケット
６ａ                  突当て面
８                    幕板
１０ａ、１０ｂ        支持脚
１２                  幕板
１３                  架台
１４                  脚柱
１４ａ、１４ｂ        取付け面
１５ａ、１５ｂ        突条リブ
１６ａ、１６ｂ        係止部
１８                  カバー体
２０                  リブ
２０ａ、２０ｂ        係止突起
２２                  エンドキャップ
２５ａ、２５ｂ        挿通孔
２５ａ′、２５ｂ′    挿通孔
２６                  ビス
２７ａ、２７ｂ        挿通孔
２８、３０            ブラケット
２８ａ、２９          突当て面
３０ａ、３０ｂ        取付面
Ｂ１                  調整ネジ
Ｂ２                  ネジ
Ｇ                    開口部
Ｈ                    配線収納溝
Ｓ                    取付けネジ
Ｔ                    ねじ穴
【図１】
2004159691.tif 000003
【図２】
2004159691.tif 000004
【図３】
2004159691.tif 000005
【図４】
2004159691.tif 000006
【図５】
2004159691.tif 000007
【図６】
2004159691.tif 000008
【図７】
2004159691.tif 000009